(57)【要約】  【課題】発泡層付き表皮材の表面品質及び基材への接着力を確保して、コスト的に有利に表皮材をプレート状基材へ一体化させることのできる発泡層付き内装品を提供する。  【解決手段】  表皮１１に発泡層１２を接着させた表皮材１０が、プレート状の基材４に分散形成された吸気路からの真空吸引により基材４に吸着させた状態で接着されている。表皮材１０が熱可塑性であり、その表面形状が、表皮材１０を加温処理により軟化させた状態で基材４に基材真空吸引型５による真空吸引により接着される際に、表皮材１０も表皮材用真空吸引型１６により真空吸引にされて賦形されている。【選択図】図１
2005125736.tif 000002
【特許請求の範囲】
【請求項１】
発泡層付きの表皮材が、基材に分散形成された吸気路からの真空吸引により基材に吸着されて接着された発泡層付き内装品において、
表皮材が熱可塑性であり、その表面形状が、前記表皮材を加温処理により軟化させた状態で基材に接着させる際に、表皮材用真空吸引型による真空吸引により賦形されていることを特徴とする発泡層付き内装品。
【請求項２】
扁平状に支持された表皮材に対して上下方向の両側の一方に、基材用真空吸引型が、他方には前記扁平状に対して賦形すべき表皮全域の表面形状に対応する型面を有する表皮材用真空吸引型が対向状態に設けられ、前記表皮材を加温処理により軟化させた状態で、前記基材用真空吸引型及び前記表皮材用真空吸引型を型締めし、これらの真空吸引型により型締め状態で両側から真空吸引することにより、発泡層を基材に圧縮もしくは膨張させて接着すると共に、前記表皮材が前記表皮材用真空吸引型の前記型面に沿って賦形されたことを特徴とする請求項１記載の発泡層付き内装品。
【請求項３】
基材の表面に、互いに連通する凹状の吸気路がメッシュ状に形成されると共に、前記基材に、前記メッシュ状吸気路の一部を真空吸引型の吸気路に接続させる少なくとも１個の共通の吸引口が形成されていることを特徴とする請求項１又は請求項２記載の発泡層付き内装品。
【請求項４】
発泡層の裏面に、熱溶融性の接着剤が塗布されていることを特徴とする請求項１乃至請求項３のいずれか記載の発泡層付き内装品。
【請求項５】
表皮材に、表皮材用真空吸引型の脱型方向に対して交差方向に凸部を設けてアンダカット部が形成されていることを特徴とする請求項１乃至請求項４のいずれか記載の発泡層付き内装品。
【請求項６】
凸部が、対面する基材の表面の平坦形状に対して非相似形状に形成されていることを特徴とする請求項５記載の発泡層付き内装品。
【請求項７】
内装品に、基材の裏側に下降する周壁付きの部品収納部が形成されると共に、凸部が、収納すべき部品の周面に形成された係合溝に係合するように、前記周壁に形成されていることを特徴とする請求項５又は請求項６記載の発泡層付き内装品。
【請求項８】
内装品が、表皮材用真空吸引型の脱型方向に対してその交差方向へ曲がるコーナ部を備え、基材のコーナ部に、対応する表皮材のコーナ部の発泡層へ食込んでその肉厚を薄くする食込み部が形成されていることを特徴とする請求項１乃至請求項７のいずれか記載の発泡層付き内装品。
【請求項９】
表皮材用真空吸引型の型面にしぼ用の凹凸が形成されると共に、発泡層の厚みが、表皮材表面に前記しぼを賦形し得る程度に型締め前よりも圧縮成形されていることを特徴とする請求項１乃至請求項８のいずれか記載の発泡層付き内装品。
【請求項１０】
内装品が自動車用内装品であることを特徴とする請求項１乃至請求項８のいずれか記載の発泡層付き内装品。
【発明の詳細な説明】
【技術分野】
【０００１】
本発明は、吸気路を分散形成された基材の表面に発泡層付き表皮材をセットして真空吸引により表皮材を基材に吸着させた状態で接着して製作される自動車のドアトリム、インストルメントパネル等の発泡層付き内装品に関するものである。
【背景技術】
【０００２】
この種の従来の表皮材の真空成形方法により、図７に示すのと同様なデフロスタ８を脱着可能にするケース状のデフロスタ収納部１２ａ及び一体成形のエアバッグドア７を備えたインストルメントパネル９Ａを製作する真空接着工程を図５を基に説明する。このインストルメントパネルは、例えばＴＰＯ（サーモプラスチックオレフィン）製の表皮１にＰＰフォーム（ポリプロピレン発泡体）製の発泡層２を接合した表皮材３をプレート状の基材４に接着して３層で製作されている。一体成形に際して、表皮材３は、真空吸引型により加温軟化状態で真空吸引して賦形して製作される（同図Ａ）。その際、真空吸引型の型面形状により、係合溝８ａを有するデフロスタ８の形状に対応した凸部としてのアンダカット部２ｂを有するデフロスタ収納部２ａが形成される。一方、基材４は射出成形された例えばＰＰ（ポリプロピレン）製であり、後処理の穿孔により、図５Ｄに部分的に示すように、基材４の強度低下を抑制するように穴径及び配列位置を適正に設定して吸気路３０を分散穿孔し、真空吸引型５の凸型５ａには対応の吸気路３１を配列している。基材４は真空吸引型５の凸型５ａにセットされ（同図Ｂ）、またデフロスタ収納部２ａに対応するデフロスタ収納部４ａが成形されている。
【０００３】
次いで、基材４に接着剤を噴霧して、同図Ｃに示すように、表皮材３をセットして真空引きすることにより、表皮材３が基材４に吸着されて接着され、３層のインストルメントパネル９Ａが製作される。その際、図６Ａに示すように、デフロスタ収納部４ａには、表皮材３の真空成型時に、アンダカット部２ｂに沿って発泡層２が凹状に変形することにより、基材４に接着されない空洞部２ｃが形成され、剥がれの原因になったり、表皮１が変形したり或いは筋を発生させる場合がある。さらに、デフロスタ８を収納部に装着する際に変形して外れ易くなることもある。
【０００４】
文献１には、表皮材を支持具で扁平状に展開させて引張支持し、立体形状の通気自在な基板を真空接着型の凸型面に組み付け、布地材を真空接着型の凸型面と部分的に相似する受け型の型面に組み付け、基板の真空接着型と、布地材が組み付けられた受け型とを支持具で加温軟化状態の表皮材に向けて両側から移動し、表皮材を真空接着型で基材の表面に真空引き接着する工程内で、布地材を表皮材の所定部分に押圧接着する部分布貼り車内装部材の製造方法が開示されている。この方法によれば、布地材が表皮材に部分布貼りされるだけでなく、表皮材を予め成形加工しておかなくても、軟化状態で基板表面に吸着状態で接着されることにより、空洞の発生は抑制されるが、逆に表皮材のみでアンダカット部２ｂを形成するのは不可能になる。そこで、アンダカット部２ｂの剥がれ及び変形防止のために、或は製作後のデフロスタ８の係合状態を確保するために、図６Ｂに示すように、剛性の基材４の対応部分に型抜き方向に対して横方向へ突出部４ｂを形成しようとすると、脱型を可能にするように、射出成形機にこのアンダカット部の下側にスライドコアを設ける必要がある。
【０００５】
そこで、このような可動型を無くす目的で、特許文献２により、アンダカット部を有する芯材もしくは基材に空洞部を残すことなく表皮材を密着状態で接着するために、接着剤が塗布された芯材を雄型にセットし、雌型側へ相対的に移動させることにより雄型と雌型との間に張られた表皮を芯材に接触させると共に、雌型側から真空吸引し、次にその真空吸引を停止した後、雄型側から真空吸引する真空成形法が提案されている。
【０００６】
一方、真空吸引型の吸気路については、特許文献３により、表面にメッシュ状の溝からなる真空吸気路を有する成形治具上に通気性シートを配置し、プリプレグを積層し、成形治具の外周部にプリプレグを囲むシール材を配置し、これら全体を真空バッグフィルムで覆い、その内部を真空吸引しつつ加圧加熱硬化処理する成形法が開示されている。
【特許文献１】特開平１０−３４７４１号公報
【特許文献２】特開平６−３４４３３号公報
【特許文献３】特開２０００−１７６９９８号公報
【発明の開示】
【発明が解決しようとする課題】
【０００７】
特許文献２による真空成形は、雄雌双方の型から吸引することにより、基材の外側面の凹凸に表皮を密着させ、また表皮面も賦形することができるが、例えば凹部内の周壁のアンダカット部等の凹凸に対する密着接着は不可能であり、いずれにしても真空成形機に付加構成を要する。
【０００８】
また、図５の円Ａ部に示すようなコーナ部の発泡層２は、真空吸引時に両側に引張られることにより、図６Ｃに示すように、脱型後のスプリングバッグ量が相対的に少なくなるために、所謂Ｒダレを発生する問題がある。さらに、基材４の表面に段差を生じた場合、対応して表皮１にも段差を生じる場合がある。この段差は、図６Ｄに示すように、例えばエアバッグドア７の基材ドア部分４ｃを破断開放を容易にするために一般面より軟質にすることに起因してスプリングバッグ量に相違が生じた場合等に発生する可能性がある。
【０００９】
ＰＰ等の合成樹脂製基材４の吸引については、特許文献３による通気性を前提にできないために、前述のように吸気路をメッシュに形成できず、したがって後加工に依らずに射出成型時に一体成形するのも可能であるとしても、特にプレート状基材に対しては強度確保或は変形防止上、その形状及び配列位置を適正に設定するには試作を繰返す必要がある。また、コスト低減を狙って、試作を繰返すことなく吸気路を節約して構成した場合、接着力が低下したり、表皮材に膨みが発生して表面品質を損なう可能性が生じる。
【００１０】
本発明は、このような点に鑑みて、発泡層付き表皮材の表面品質及び基材への接着力を確保して、コスト的に有利に表皮材をプレート状基材へ一体化させることのできる発泡層付き内装品を提供することを目的とする。
【課題を解決するための手段】
【００１１】
本発明は、この目的を達成するために、請求項１により、発泡層付きの表皮材が、基材に分散形成された吸気路からの真空吸引により基材に吸着されて接着された発泡層付き内装品において、表皮材が熱可塑性であり、その表面形状が、表皮材を加温処理により軟化させた状態で基材に接着させる際に、表皮材用真空吸引型による真空吸引により賦形さていることを特徴とする。
【００１２】
表皮材の表面品質を容易に確保するには、請求項２により、扁平状に支持された表皮材に対して上下方向の両側の一方に、基材用真空吸引型が、他方には扁平状に対して賦形すべき表皮全域の表面形状に対応する型面を有する表皮材用真空吸引型が対向状態に設けられ、表皮材を加温処理により軟化させた状態で、基材用真空吸引型及び表皮材用真空吸引型を型締めし、これらの真空吸引型により型締め状態で両側から真空吸引することにより、発泡層を基材に圧縮もしくは膨張させて接着すると共に、表皮材が表皮材用真空吸引型の型面に沿って賦形される。
【００１３】
基材全面での接着強度を確保するには、請求項３により、基材の表面に、互いに連通する凹状の吸気路がメッシュ状に形成されると共に、基材に、メッシュ状吸気路の一部を真空吸引型の吸気路に接続させる少なくとも１個の共通の吸引口が形成される。
【発明の効果】
【００１４】
請求項１の発明によれば、表皮材が表皮材用真空吸引型の型面に沿って賦形されるために、表面品質が向上するだけでなく、意匠の制約が少なくなり、基材表面に対して非相似形状に形成することもできる。請求項２の発明によれば、扁平状に支持された表皮材の両側に、基材用真空吸引型及び表皮材用真空吸引型を対向状態に設けることにより、表面品質が優れ、かつ接着性の良い発泡層付き表皮材が容易に製作される。請求項３の発明によれば、基材の吸気路を設定する際に、基材の強度低下を抑制して接着力を確保するためのノウハウ或は繰り返しの試作が不要となり、通気性基材の製作コストの低減が図られると共に、メッシュ状の配置により実質上基材全面での吸引が可能になり、表皮材の接着強度も容易に向上させることができ、膨れ等を発生させずに表面品質も向上させ得る。請求項４の発明によれば、表皮材の基材に対する一体成型時に、環境上好ましくない溶剤型接着剤の塗布工程が不要になる。
【００１５】
請求項５の発明によれば、脱型可能にする表皮材の軟質を利用して基材形状と無関係に型締め方向に対して横方向の凸凹部が簡単に形成可能になり、対応部分の基材の吸着もメッシュ状吸気路により確実に行うことができ、凸凹部の変形もしくは剥がれも容易に防止できる。その際、請求項６の発明によれば、凸部が、対面する基材の表面の平坦形状に対して非相似形状に形成され、請求項７の発明によれば、凸部が周壁付きの部品収納部に、部品の係合溝に係合するように周形成される。
【００１６】
請求項８の発明によればコーナ部での脱型後の収縮もしくは脱型時のしゃくれに起因するしわの発生が回避され、請求項９の発明によればしぼの転写も確実に行われ、請求項１０の発明によればドアトリム、インストルメントパネル等の自動車用の発泡層付き内装品が高品質に製作される。
【発明を実施するための最良の形態】
【００１７】
図１乃至図４を基に本発明の実施の形態による発泡層付き内装品及びのその一体成形方法を前述したものと同一もしくは同等部分は同一符号で説明する。真空接着されるプレート状内装品は、図７により前述したデフロスタ収納部１２ａ及びエアバッグドア７を備えた同様なインストルメントパネル９とする。このインストルメントパネルを一体成形するための真空成形機として、表皮材１０を扁平状に引張り支持するように、その周辺部をクランプするクランプ具１８の下側に、基材４用の真空吸引型５が対向して設けられると共に、上側にはその凸型部５ａに対向し、かつインストルメントパネ９の表面形状に対応した型面を有する電鋳による多孔性の凹型１６ａを備えた真空吸引型１６が設けられている。雄型である基材用真空吸引型５及び雌型である表皮材用真空吸引型１６は、付属の昇降装置(図示せず)によりクランプ具１８に向けて上下動し、双方の連結具１７，１７ａが凹凸連結することにより、型締めが行われる。クランプ具１８の両側には、表皮材１０を両側から加熱するヒータ１９が配置され、型締め時には側方の逃げ位置に移動可能になっている。
【００１８】
熱可塑性の表皮材１０は、ＴＰＯ製の表皮１１にＰＰフォーム製の発泡層１２が溶着され、その裏面に熱溶融性のオレフィン系接着剤１３が塗布され(図１Ａ)、ロール状に巻回されて保管されている。発泡層１２の裏面には、オレフィン系ホットメルトフィルムを熱ラミネートすることも考えられる。
【００１９】
基材４は例えばＰＰ製であり、デフロスタ８を収納するための周壁及び底面部付き開口部であるデフロスタ収納部４ａ及びエアバッグドア７用の基材ドア部分４ｃ並びに図３，４に示す互いに連通する凹状の溝である吸気路２０をメッシュ状に表面に形成するように射出成形されている。また、部分的に示すメッシュ状吸引路２０の中央部の交差部分の裏側には、相対的に外径を大きくした吸引口２１が形成され、この吸引口に連通するように一本の吸気路２２が真空吸引型５の凸型部５ａ及び本体に形成されている。断面コの字形の正方形状のメッシュ状の吸気路２０は、図４Ａに示すように、幅Ａ及び深さＢが１〜０．５ｍｍ程度に設定され、メッシュのピッチＣ，Ｄは５０ｍｍもしくはそれ以下に設定するのが好ましく、内装品の形状或は所要の接着力等を考慮して設定する。
【００２０】
尚、吸引口は、中央部に形成することにより全域に対して効率良く吸引することができるが、場合によっては背面、端縁等の意匠部以外に設けたり、或は形状によっては分散して数個形成することも考えられる。凸型５ａの吸気路２２及び真空吸引型１６の吸引口１６ｄには、それぞれ真空ポンプに接続して、同時に真空吸引を行う吸引手段を構成している。
【００２１】
凹型１６ａの型面１６ｂは、扁平状から賦形すべき表皮１１全域の表面形状に対応すると共に、凸型５ａの型面５ｂもしくは基材４の表面に対して大部分を占める一般面は相似形であるが、レジスタ等の部分もしくはデフロスタ８の係合溝８ａに対する凸部であるアンダカット部１２ｂに対応する凹部１６ｃを有する凸状型面部１６ｅを備えている。対応して、凸型５ａには、デフロスタ収納部４ａに対応して凹状型面部分５ｃが形成されている。即ち、凸型５ａ及び凹型１６ａの型面５ｂ，１６ｂは、型締め状態で基材４及び表皮材１０に圧接し得るかもしくは略接触する離間距離を有するキャビティを形成するが、凹部１６ｃに対向する凹状型面部分５ｃの周壁は平坦状であり、したがってこられの対向部分は離間して非相似形状になっている。
【００２２】
さらに、図１に示すように、インストルメントパネル９の側面側のコーナ部Ｃ１については、曲率半径１ｍｍ程度の丸みを持たせるように、型面１６ｂの対応部分は曲率半径１ｍｍ程度の曲面に形成されている一方で、基材４の対応部分は曲面に形成されることなく、表皮１１の厚みを１ｍｍ、型締め前の発泡層１２の厚みを４ｍｍとして、基材４の厚みを脱型方向に対して直交方向へ徐々に厚くして端面４ｆで最大で２ｍｍ程度脱型方向に厚くする食込み部４ｄが形成されて、型面１６ｂの対面領域に非相似形状になっている。
【００２３】
同様に、デフロスタ収納部４ａの開口部周辺のコーナ部Ｃ２についても、型面１６ｂの対応部分は略直角に形成されている一方で、基材４の対応部分は基材４の厚みを徐々に厚くして端面で最大の２ｍｍ程度脱型方向に厚くなる食込み部４ｅが形成されて、表皮側に接近して、型面１６ｂに対する隙間を５ｍｍから狭くしている。
【００２４】
表皮材１０の基材４に対する一体成形に際しては、所要の大きさの表皮材１０をクランプ具１８で扁平状に支持すると共に、基材４をその裏面に沿った型面形状の真空型５の凸型５ａにセットする(図１Ｂ)。次いで、表皮材１０を付属のヒータ１９で加温処理して軟化状態にする。続いて、このヒータを逃がして真空吸引型５及び真空吸引型１６を昇降させて型締めすると共に、吸引口１６ｄ及び凸型５ａの基材４の吸気路２０に連通する吸気路２２から両側で略同時に真空吸引を行う。基材４の表面全域のメッシュ状吸気路２０が中央部の吸引口２１から効率良く集中的に吸引される。このようなメッシュ状の配置により、実質上基材全域での吸引が可能になり、表皮材の接着強度も容易に向上させられ、脱形後の膨れ等の発生も確実に回避できる。
【００２５】
これにより、基材４に発泡層１２がホットメルト型のオレフィン系接着剤１３で密着状態に接着されると共に、表皮１１は、全域にわたり多孔性の凹型１６ａの型面１６ｂで緊密に吸着され、熱軟化状態の発泡層１２を圧縮もしくは膨張させつつ型面１６ｂに沿って賦形され、オールオレフィン３層のインストルメントパネル９が製作される。
【００２６】
型締め時点で、図２Ａに示すように、デフロスタ収納部１２ａでは表皮材１０が凹部１６ｃに沿ってわん曲してその両側に空洞を発生させようとするが、表裏双方からの真空吸引により、表皮１１の引張り変位及び発泡層１２の圧縮或は膨張により、同図Ｂに示すように、空洞が吸収されて凹部１６ｃに沿って凸状のアンダカット部１２ｂが形成される。冷却後の真空吸引型１６の脱型時には、アンダカット部１２ｂが圧縮して撓み、脱型を許容する。同図Ｃに示すように、例えばメータ収納部９ａのコーナ部のＲダレも型面１６ｂに接面状態に成形されることにより解消され、同図Ｄに示すように、エアバッグドア７の基材ドア部分４ｃの段差の影響も発泡層１２による吸収で解消される。
【００２７】
コーナ部Ｃ１、Ｃ２については、通常の方法により基材４の表面を型面１６ｂと相似形状に曲面を形成した場合、同図Ｂに点線で示すように、冷却後の脱型時に、コーナ部Ｃ１では基材４の対応するコーナ部と型面１６ｂの対応するコーナ部間の隙間が広がることにより、表皮１１が伸び、また対応して発泡層１２が大きく膨張して剛性の低下し、吸引停止後の収縮現象で点線で示すように筋状にしわ９ｃが発生する。また、デフロスタ収納部１２ａのコーナ部Ｃ２についても同様にしわ９ｄが発生する可能性がある。このようなしわは、発泡層１２の厚みを薄くすることにより或はコーナ部の曲率半径を大きくすると回避できるが、発泡層１２が厚くなる程しわを発生し易くなる傾向がある。本発明によれば、同図Ｂに実線で示すように、発泡層１２への食込み部４ｄ，４ｅにより、コーナ部Ｃ１、Ｃ２の発泡層１２を薄くして、その剛性を確保することにより、しわの発生が回避可能になる。
【００２８】
尚、同図Ｅに示すように、食込み部４ｇは、対面する型面１６ｂに向けて斜めに突出させても良く、また脱型方向に直交方向にのみ突出させても良い。同図Ｆに示すように、インストルメントパネル側面９ｂの前方部において発泡層１２の圧縮で脱型を許容する程度にアンダカット部４ｋを有する場合、脱型時のしゃくりにより脱型方向に逆に凸状のしわをコーナ部に発生する可能性がある。このような場合、同様に直交方向へ食込み部４ｈを突出させると、アンダカット部４ｋの領域での発泡層１２のようなしゃくり度合を制限することができる。前述の場合を含めて、食込み部は、基材の板厚を均一にして表皮への接近方向に変形させて形成することもできる。
【００２９】
前述の同時の真空吸引時において、型面１６ｂ及び型面５ｂ間のキャビティ間隔は、基材４の表面に対して型面１６ｂ間に表皮１１の厚み１ｍｍ及び発泡層１２の厚み４ｍｍに対応して一般面で５ｍｍの隙間を持たせるように設定されていることにより、これらの寸法誤差或は非相似形に応じて発泡層１２を膨張もしくは収縮させ、曲率半径の小さなコーナ領域では隙間の拡大に応じて自ずと膨張させている。一方、別の実施の形態として、表皮材１０の表面へしぼを賦形するように、型面１６ｂに最大深さが０．１ｍｍ程度の細かい凹凸状のしわ模様が形成される場合、表皮材用真空吸引型の型面１６ｂ及び基材４の表面間の隙間を、型締め前の発泡層の厚みが、細かい型面変化に沿った忠実な賦形を可能にする程度に圧縮するように設定する。例えば自動車用内装品の５ｍｍ前後の通常の厚みの発泡層に対して型締め時に少なくとも２０％程度圧縮させる隙間寸法に設定するのが好ましい。前述の材質の厚み４ｍｍの発泡層１２に対しては、全しぼ形成領域で３〜２ｍｍ程度に圧縮させるように隙間寸法を５ｍｍよりも狭く設定することにより、確実な転写が行われることが確認されている。尚、このような圧縮により、前述のように例えば発泡層１２を２ｍｍ程度に圧縮させる場合、前述の圧縮しわ或はしゃくり現象は食込み部を形成しなくても回避される。
【００３０】
尚、表皮としてはＰＶＣ（ポリ塩化ビニル）、発泡層には発泡ＰＶＣ、基材にはＰＣ（ポリカーボネート）／ＡＢＳ（アクリロニトリル・ブタジエン・スチレン三元共重合体）、或はＡＳＧ（ガラス繊維強化アクリロニトリル・スチレン）等の合成樹脂を用いることもでき、基材に対する接着には溶剤蒸発型を用いることもできる。ＰＰ基材の場合、ＯＲ系又はオレフィン系接着剤を塗布することも考えられる。
【図面の簡単な説明】
【００３１】
【図１】本発明の実施の形態によるインストルメントパネルの表皮材の基材に対する真空成形工程を説明する真空成形機の概略断面図である。
【図２】同真空接着工程によるインストルメントパネルの部分断面図である。
【図３】同インストルメントパネルの基材の吸気路の概略断面図である。
【図４】同吸気路を説明するもので、同図Ａはその部分斜視図、同図Ｂはその動作を説明する図である。
【図５】従来のインストルメントパネルの表皮材の真空成形方法の成形過程を説明する図である。
【図６】図５による真空成形工程を説明するインストルメントパネルの部分断面図である。
【図７】図１による真空接着の対象になるインストルメントパネルを示すもので、同図Ａはその斜視図、同図Ｂそのデフロスタの斜視図である。
【符号の説明】
【００３２】
４  基材
４ｃ  基材ドア部分
４ｄ，４ｅ，４ｇ，４ｈ  食込み部
５  基材用真空吸引型  
５ａ  凸型
５ｂ，１６ｂ  型面
７  エアバッグドア
８  デフロスタ
９  インストルメントパネル
１０  表皮材
１１  表皮
１２  発泡層
１２ｂ  アンダカット部
１３  オレフィン系接着剤
１６  表皮材用真空吸引型
１６ａ  凹型
１６ｃ  凹部
１８  クランプ具
１９  ヒータ
２０  メッシュ状吸気路
【図１】
2005125736.tif 000003
【図２】
2005125736.tif 000004
【図３】
2005125736.tif 000005
【図４】
2005125736.tif 000006
【図５】
2005125736.tif 000007
【図６】
2005125736.tif 000008
【図７】
2005125736.tif 000009